(57)【特許請求の範囲】
【請求項１】
電気部品を載置するための載置面を設けたソケット本体と、ソケット本体に固定される基部と上記載置面上に載置された電気部品のリードに接触すべき接片部とトリガー部を有するコンタクトピンと、ソケット本体上に昇降自在に装架されたカバーとを備え、カバーの押し下げにより押動される上記トリガー部を介して上記接片部をその習性に抗し外方へ回動させて上記載置面上に電気部品を載置することを可能にし、押し下げられたカバーの押圧を解除することにより上記接片部を復元させて上記載置面上に置かれた電気部品のリードに上記接片部を圧接させるようにした電気部品用ソケットにおいて、上記接片部を上記基部より起立させて載置面上に載置された電気部品のリードに圧接する習性を付与すると共に、上記トリガー部を上記接片部よりも内側に在るように上記基部より延出させ、その先端が上記接片部の内側縁に、その中間部が上記カバーに形成されたカム面に夫々当接するようにしたことを特徴とする電気部品用ソケット。
【請求項２】
先端と中間部との間の上記トリガー部部分を比較的幅広の直線状に形成し、中間部と基部との間の上記トリガー部部分を比較的幅狹に弾性を有するように形成した請求項１に記載の電気部品用ソケット。
【請求項３】
上記トリガー部部分の弾性を有する比較的幅狹部分は蛇行曲線状に形成されている請求項２に記載の電気部品用ソケット。
【発明の詳細な説明】
【０００１】
【発明の属する技術分野】
本発明は、ＩＣパッケージ等の電気部品の検査や実装に用いられる電気部品用ソケットに関する。
【０００２】
【従来の技術】
電気部品を載置するための載置面を設けたソケット本体と、ソケット本体に列設されていて接片部とトリガー部と弧状ばね部を有する多数のコンタクトピンと、ソケット本体上に昇降自在に装架されたカバーとを備え、カバーの押し下げにより押動される上記トリガー部を介してコンタクトピンをその習性に抗し外方へ移動させてカバーの上方より上記載置面上に電気部品を載置することを可能にし、押し下げられたカバーの押圧を解除することによりコンタクトピンを復元させてソケット本体の載置面上に置かれた電気部品のリードにコンタクトピンの接片部を圧接させるようにした、所謂オープントップ式の電気部品用ソケットは、従来から各種構造のものが知られている。
【０００３】
【発明が解決しようとする課題】
ところで、この種従来の電気部品用ソケットにおいては、通常、コンタクトピンのトリガー部はソケット本体の中心部から離れる方向即ち外方に向けて設けられている。このため、ソケット全体を小型に構成する場合不利である。従って、ソケット本体を小型に構成するため上記トリガー部を内方へ向けて設けることが考えられるが、このようにする場合、ソケット内部の構成上の制限から、コンタクトピンの回動中心はソケット本体の中心下方寄りにならざるを得ず、そのため、カバー押し下げ時におけるコンタクトピン接片部の開き角度が小さくなり、カバー押圧解除に伴うコンタクトピン復元時に接触部が電気部品のリードに引っ掛る等の問題が発生する。
【０００４】
本発明は、従来の技術の有するこのような問題点に鑑みてなされたものであり、その目的とするところは、小型化のためにコンタクトピンのトリガー部を接片部の内側に設けた場合でも、コンタクトピン接片部の開き角度を十分に大きくできるようにした電気部品用ソケットを提供しようとするものである。
【０００５】
【課題を解決するための手段】
上記目的を達成するために、本発明による電気部品用ソケットは、電気部品を載置するためのソケット本体と、ソケット本体に固定される基部と上記載置面上に載置された電気部品のリードに接触すべき接片部とトリガー部を有するコンタクトピンと、ソケット本体上に昇降自在に装架されたカバーとを備え、カバーの押し下げにより押動される上記トリガー部を介して上記接片部をその習性に抗し外方へ回動させて上記載置面上に電気部品を載置することを可能にし、押し下げられたカバーの押圧を解除することにより上記接片部を復元させて上記載置面上に置かれた電気部品のリードに上記接片部を圧接させるようにした電気部品用ソケットにおいて、上記接片部を上記基部より起立させて載置面上に載置された電気部品のリードに圧接する習性を付与すると共に、上記トリガー部を上記接片部よりも内側に在るように上記基部より延出させ、その先端が上記接片部の内側縁にその中間部が上記カバーに形成されたカム面に夫々当接するようにしたことを特徴としている。
【０００６】
又、本発明によれば、先端と中間部との間の上記トリガー部部分が比較的幅広の直線状に形成され、中間部と基部との間の上記トリガー部部分が比較的幅狹の弾性を有する形状、好ましくは蛇行曲線状に形成されている。
【０００７】
【発明の実施の形態】
以下、図示した実施例に基づき本発明の実施の形態を説明する。図１は平面図、図２は図１のII−II線に沿う断面図、図３は図１のIII −III 線に沿う断面図である。図中、１は平面形状が矩形をなしていて、電気部品載置面１ａと、対向する長辺に沿い所定の一定間隔で列設された絶縁リブ１ｂと、対向する短辺の外側面に形成された垂直方向の案内溝１ｃ（図２）とを有する合成樹脂等より成る電気絶縁性のソケット本体である。
【０００８】
２は絶縁リブ１ｂにより画成されたスリット状スペース内に挿入されていて、該スペースの底部に嵌着された基部２ａと、該基部から直接起立せしめられていてソケット本体１の内方へ向う移動習性を付与された接片部２ｂと、基部２ａから起立してソケット本体１の内方へ向って蛇行した後起立した比較的幅狹の蛇行曲線状部分２ｃ1 と該部分２ｃ1 の起立端より折れ曲がって接片部２ｂに向って直線状に延び先端が接片部２ｂの内側縁に当接した比較的幅広の直線状部分２ｃ2 とから成るトリガー部２ｃと、基部２ａからソケット本体１の下面外方へ突出した接続端子部２ｄとを有する燐青銅等より成るコンタクトピンである。
【０００９】
３は、ソケット本体１上に昇降自在に装架されていて、コンタクトピン２のトリガー部２ｃの中心折曲部即ち蛇行曲線状部分２ｃ1 と直線状部分２ｃ2 との接続部に摺接するカム面３ａと、ソケット本体１の垂直方向案内溝１ｃに摺動可能に嵌挿されたピラー３ｂとを有する、外形がソケット本体１の外形と一致するように形成された枠状のカバー、４はカバー３に上昇習性を付与するためソケット本体１とカバー３との間に介装されたばね、Ｐは電気部品載置面１ａ上に置かれたＩＣパッケージ等の電気部品である。
【００１０】
尚、カバー３の上限位置は、図３に明示されたように、ソケット本体１に形成された爪１ｄとカバー３に形成されたフック部３ｃとの係合により規制されるようになっており、コンタクトピン２は、図２に示されたように、載置面１ａ上に電気部品Ｐが置かれてカバー３が上限位置（非押圧位置）にあるとき、接片部２ｂの先端が電気部品ＰのリードＬに圧接するようになっている。
【００１１】
本発明に係る電気部品用ソケットは、上記のように構成されているから、図２に示した装填位置から電気部品Ｐを取り出すためカバー３を押し下げれば、トリガー部２ｃがカム面３ａにより外方へ押されるので、直線部分２ｃ2 の先端は、接片部２ｂをその習性に抗して外方へ押し、カバー３が一杯に押し下げられたとき図２に鎖線で示した位置まで移動せしめられて、接片部２ｂの先端が電気部品ＰのリードＬの端より外方へ退避する。従って、電気部品Ｐを上方へ取り出すことが可能となる。この状態は、電気部品Ｐを装填するための状態でもあることは言うまでもない。
【００１２】
以上の説明で明らかなように、コンタクトピン２のトリガー部２ｃを接片部２ｂの内側に持って来たため、ソケット全体の外形寸法を小さくすることができるにも拘わらず、接片部２ｂの進入角又は開き角を十分に大きくすることができる。又、トリガー部２ｃの蛇行曲線状部分２ｃ1 は比較的幅狹で十分な大きさの弾力が発生し得るように構成され、また、直線状部分２ｃ2 は比較的幅広で実質上接片部２ｂに加えられる押圧力の作用方向に延びているから、繰り返しの使用によってもトリガー部２ｃが座屈するようなことはなく、而も実線位置と鎖線位置との間を柔軟且つ確実に往復動し得る。
尚、上述の実施例においては、トリガー部２ｃの弾性を有するように形成された部分は、縦方向に蛇行する曲線状に形成したものを示したが、横方向に蛇行するように形成したものであってもよく、必ずしも蛇行していなくとも弾性を有した形状としておけばよい。
【００１３】
以上、実施例では、電気部品Ｐとしてガルウイング型ＩＣパッケージに適するソケットについて説明したが、本発明はこれに限定されるものではなく、Ｊリード型のＩＣパッケージ等に適するソケットとして構成することができることは言うまでもない。
【００１４】
【発明の効果】
上述のように本発明によれば、コンタクトピンの数が同じであっても、従来のこの種電気部品用ソケットに較べて外形寸法を小さく構成することができるばかりか、ソケット全体の構成を簡素化することができ、又、カバー押し下げ時のコンタクトピン接片部の変位量を十分に大きくとることができ、小型にも拘わらず長期間に亘って電気部品の装填・取り出しを容易且つ安全に行い得る電気部品用ソケットを提供することができる。
【図面の簡単な説明】
【図１】本発明に係る電気部品用ソケットの一実施例の平面図である。
【図２】図１のII−II線に沿う断面図である。
【図３】図１のIII −III 線に沿う断面図である。
【符号の説明】
１          ソケット本体
１ａ        電気部品載置面
１ｂ        絶縁リブ
１ｃ        垂直方向案内溝
１ｄ        爪
２          コンタクトピン
２ａ        基部
２ｂ        接片部
２ｃ        トリガー部
２ｃ1       蛇行曲線状部分
２ｃ2       直線状部分
２ｄ        接続端子部
３          カバー
３ａ        カム面
３ｂ        ピラー
３ｃ        フック部
４          ばね
Ｐ          電気部品
Ｌ          リード
【図１】
0003702526.tif 000002
【図２】
0003702526.tif 000003
【図３】
0003702526.tif 000004